【手続補正書】
【提出日】平成30年12月25日(2018.12.25)
【手続補正１】
【補正対象書類名】特許請求の範囲
【補正対象項目名】全文
【補正方法】変更
【補正の内容】
【特許請求の範囲】
【請求項１】
ワイヤレス電力送達ネットワーク内のデバイスにワイヤレス電力を送達すべき電力送信機を選択するためのシステムであって、
少なくとも１つの送信機マネージャーに通信可能に結合された第１の電力送信機であって、ユーザーデバイスから受信された近距離通信信号に基づいて、前記ユーザーデバイスについての第１の信号強度レベルを検出するように構成され、前記ユーザーデバイスは少なくとも１つの電力受信機に結合されている、第１の電力送信機と、
前記少なくとも１つの送信機マネージャーに通信可能に結合された第２の電力送信機であって、前記ユーザーデバイスから受信された近距離通信信号に基づいて、前記ユーザーデバイスについての第２の信号強度レベルを検出するように構成された、第２の電力送信機と、
前記第１の信号強度レベルが最小時間量を超えて第１の所定の信号強度閾値を上回ったままであるとの決定に従って、前記第１の電力送信機に、前記ユーザーデバイスの前記電力受信機への１つ以上のＲＦ波の伝送に対する制御を提供し、
（ｉ）前記第１の信号強度レベルが第２の所定の信号強度閾値を下回り、（ｉｉ）前記第２の信号強度レベルが前記最小時間量を超えて前記所定の信号強度閾値を上回ったままであるとの決定に従って、前記第２の電力送信機に、前記ユーザーデバイスの前記少なくとも１つの電力受信機への１つ以上のＲＦ波の伝送に対する制御を提供する
ように構成された、前記少なくとも１つの送信機マネージャーと
を備え、前記１つ以上のＲＦ波の伝送は、前記少なくとも１つの電力受信機の近傍にエネルギーポケットを生じさせ、前記少なくとも１つの電力受信機は、前記１つ以上のＲＦ波を、前記ユーザーデバイスを充電するために使用可能な電力に変換するように構成される、システム。
【請求項２】
充電履歴、充電スケジュール、充電ステータス、デバイスＩＤおよびそれらの組合せからなる群から選択された、前記少なくとも１つのユーザーデバイスに関連する情報を記憶するのに適切な少なくとも１つのデータベースを更に備える、請求項１に記載のシステム。
【請求項３】
前記少なくとも１つの送信機マネージャーは、前記少なくとも１つのデータベースに記憶された前記情報に少なくとも部分的に基づいて、前記少なくとも１つの電力受信機による伝送の受容を制限するようにも構成される、請求項２に記載のシステム。
【請求項４】
前記少なくとも１つの送信機マネージャーは、前記第１の電力送信機および前記第２の電力送信機に、前記少なくとも１つのデータベースから取得された、前記ユーザーデバイスに関連する情報を提供するようにも構成される、請求項２に記載のシステム。
【請求項５】
前記少なくとも１つの送信機マネージャーは、前記第１の電力送信機および前記第２の電力送信機に、前記少なくとも１つのデータベースから取得された、前記少なくとも１つの電力受信機に関連する情報を提供するようにも構成される、請求項２に記載のシステム。
【請求項６】
前記データベースから取得された前記情報は、前記少なくとも１つの電力受信機の電力レコードを含む、請求項５に記載のシステム。
【請求項７】
前記第１の所定の信号強度閾値は、前記ユーザーデバイスの最大能力の５０％よりも大きい信号強度レベルに対応する、請求項１に記載のシステム。
【請求項８】
前記少なくとも１つの送信機マネージャーは、Ｂｌｕｅｔｏｏｔｈ（登録商標）、ＷｉＦｉおよびそれらの組合せからなる群から選択される少なくとも１つの通信プロトコルを介して前記少なくとも１つのユーザーデバイスと通信する、請求項１に記載のシステム。
【請求項９】
前記少なくとも１つの送信機マネージャーは、前記第１の電力送信機および前記第２の電力送信機に対する前記ユーザーデバイスの位置を決定するように構成されたアンテナマネージャーを更に備える、請求項１に記載のシステム。
【請求項１０】
前記少なくとも１つの送信機マネージャーは、少なくとも１つの遠隔サーバーに、前記第１の電力送信機および前記第２の電力送信機の性能に関連する情報、前記少なくとも１つの電力受信機の性能に関連する情報、または前記ユーザーデバイスに関連する情報を通信可能に送達する、請求項１に記載のシステム。
【請求項１１】
ワイヤレス電力送達ネットワーク内のデバイスにワイヤレス電力を送達すべき電力送信機を選択するための方法であって、
第１の電力送信機によって、少なくとも１つの電力受信機に結合されたユーザーデバイスから受信された近距離通信信号に基づいて、前記ユーザーデバイスについての第１の信号強度レベルを検出することと、
第２の電力送信機によって、前記ユーザーデバイスから受信された近距離通信信号に基づいて、前記ユーザーデバイスについての第２の信号強度レベルを検出することと
を含み、前記第１の電力送信機および前記第２の電力送信機は、いずれも少なくとも１つの送信機マネージャーに通信可能に結合されており、前記方法は、
前記少なくとも１つの送信機マネージャーによる、前記第１の信号強度レベルが最小時間量を超えて第１の所定の信号強度閾値を上回ったままであるとの決定に従って、前記第１の電力送信機に、前記ユーザーデバイスの前記電力受信機への１つ以上のＲＦ波の伝送に対する制御を提供することと、
前記少なくとも１つの送信機マネージャーによる、（ｉ）前記第１の信号強度レベルが第２の所定の信号強度閾値を下回り、（ｉｉ）前記第２の信号強度レベルが前記最小時間量を超えて前記所定の信号強度閾値を上回ったままであるとの決定に従って、前記第２の電力送信機に、前記ユーザーデバイスの前記少なくとも１つの電力受信機への１つ以上のＲＦ波の伝送に対する制御を提供することと
を含み、前記１つ以上のＲＦ波の伝送は、前記少なくとも１つの電力受信機の近傍にエネルギーポケットを生じさせ、前記少なくとも１つの電力受信機は、前記１つ以上のＲＦ波を、前記ユーザーデバイスを充電するために使用可能な電力に変換するように構成される、方法。
【請求項１２】
前記少なくとも１つの送信機マネージャーは、充電履歴、充電スケジュール、充電ステータス、デバイスＩＤおよびそれらの組合せからなる群から選択された、前記少なくとも１つのユーザーデバイスに関連する情報を記憶するのに適切な少なくとも１つのデータベースと通信している、請求項１１に記載の方法。
【請求項１３】
前記少なくとも１つの送信機マネージャーは、前記少なくとも１つのデータベースに記憶された前記情報に少なくとも部分的に基づいて、前記少なくとも１つの電力受信機による伝送の受容を制限するようにも構成される、請求項１２に記載の方法。
【請求項１４】
前記少なくとも１つの送信機マネージャーは、前記第１の電力送信機および前記第２の電力送信機に、前記データベースから取得された、前記少なくとも１つのユーザーデバイスに関連する情報を提供する、請求項１２に記載の方法。
【請求項１５】
前記データベースから取得された前記情報は、前記少なくとも１つの電力受信機の電力レコードを含む、請求項１４に記載の方法。
【請求項１６】
前記第１の電力送信機は第１の物理的部屋内に位置し、前記第２の電力送信機は、前記第１の物理的部屋とは別個の第２の物理的部屋内に位置し、
前記ユーザーデバイスが前記第１の物理的部屋から前記第２の物理的部屋へと移動するとき、前記少なくとも１つの送信機マネージャーは、（ｉ）前記第１の信号強度レベルは前記第２の所定の信号強度閾値を下回り、（ｉｉ）前記第２の信号強度レベルは前記最小時間量を超えて前記所定の信号強度閾値を上回ったままであると決定し、
前記（ｉ）および（ｉｉ）における決定に従って、前記少なくとも１つの送信機マネージャーは、前記第２の電力送信機に、前記ユーザーデバイスの前記少なくとも１つの電力受信機への１つ以上のＲＦ波の伝送に対する制御を提供する、請求項１に記載のシステム。
【請求項１７】
前記少なくとも１つの送信機マネージャーは、
前記第１の信号強度レベルおよび前記第２の信号強度レベルがいずれも前記最小時間量を超えて前記第１の所定の信号強度閾値を上回ったままであるとの決定に従って、
前記第１の電力送信機および前記第２の電力送信機に対する前記ユーザーデバイスの前記決定された位置を用いて、前記第１の電力送信機と前記第２の電力送信機のいずれが前記ユーザーデバイスに最も近いかを決定し、
前記ユーザーデバイスに最も近い前記電力送信機に、前記ユーザーデバイスの前記少なくとも１つの電力受信機への１つ以上のＲＦ波の伝送に対する制御を提供する
ように更に構成される、請求項９に記載のシステム。
【請求項１８】
前記第２の所定の信号強度レベルは、前記第１の所定の信号強度レベル未満の値に対応する、請求項７に記載のシステム。
【請求項１９】
前記第１の電力送信機は第１の物理的部屋内に位置し、前記第２の電力送信機は、前記第１の物理的部屋とは別個の第２の物理的部屋内に位置し、
前記ユーザーデバイスが前記第１の物理的部屋から前記第２の物理的部屋へと移動するとき、前記少なくとも１つの送信機マネージャーは、（ｉ）前記第１の信号強度レベルは前記第２の所定の信号強度閾値を下回り、（ｉｉ）前記第２の信号強度レベルは前記最小時間量を超えて前記所定の信号強度閾値を上回ったままであると決定し、
前記（ｉ）および（ｉｉ）における決定に従って、前記少なくとも１つの送信機マネージャーは、前記第２の電力送信機に、前記ユーザーデバイスの前記少なくとも１つの電力受信機への１つ以上のＲＦ波の伝送に対する制御を提供する、請求項１１に記載の方法。
【請求項２０】
前記少なくとも１つの送信機マネージャーのアンテナマネージャーによって、前記第１の電力送信機および前記第２の電力送信機に対する前記ユーザーデバイスの位置を決定することと、
前記少なくとも１つの送信機マネージャーによる、前記第１の信号強度レベルおよび前記第２の信号強度レベルがいずれも前記最小時間量を超えて前記第１の所定の信号強度閾値を上回ったままであるとの決定に従って、
前記第１の電力送信機および前記第２の電力送信機に対する前記ユーザーデバイスの前記決定された位置を用いて、前記第１の電力送信機と前記第２の電力送信機のどちらが前記ユーザーデバイスに最も近いかを決定することと、
前記ユーザーデバイスに最も近い前記電力送信機に、前記ユーザーデバイスの前記少なくとも１つの電力受信機への１つ以上のＲＦ波の伝送に対する制御を提供することと
を更に含む、請求項１１に記載の方法。